(57)【要約】【課題】カップ状の容器であっても商標や内容表示等の種々の表示を簡単にかつ適正に施せるうえ、表示の自由度を高めうる商品パッケージ装置を提供する。【解決手段】カップ状の容器１２と、容器１２の周りに側面視で縦ループ状に巻き付けて装着される表示帯１４であって、容器１２の上面に配置される天壁部２６と、容器１２の下面に配置される底壁部２８と、容器１２の周壁１２１に上下方向に沿って配置され容器１２を挟む対向位置で天壁部２６と底壁部２８とを接続する２つの側壁部３０、３２と、を一体的に有する表示帯１４と、を備える。表示帯１４には、容器１２に装着した際に該容器１２の上端部との嵌合で縦ループの中央に容器を位置決め状態で係止する位置決め係止部であって、表示帯１４の縦ループが形成されない側に対向するように天壁部２６に一体的に接続された２つの耳部４２を含む位置決め係止部１６が設けられる。【選択図】図１
2012240711.tif 000002
【特許請求の範囲】
【請求項１】
商品が入れられるカップ状の容器と、
容器の周りに側面視で縦ループ状に巻き付けて装着される表示帯であって、容器の上面に配置される天壁部と、容器の下面に配置される底壁部と、容器の周壁に上下方向に沿って配置され容器を挟む対向位置で天壁部と底壁部とを接続する２つの側壁部と、を一体的に有する表示帯と、を備え、
表示帯には、容器に縦ループ状に巻き付けて装着した際に該容器の上端部との嵌合で縦ループの中央に容器を位置決め状態で係止する位置決め係止部であって、表示帯の縦ループが形成されない側に対向するように天壁部に一体的に接続された２つの耳部を含む位置決め係止部が設けられたことを特徴とする商品パッケージ装置。
【請求項２】
容器の上端部には、同容器の周壁の外面よりも外側に突出している突出部が設けられ、
位置決め係止部は、耳部に設けられ、容器の突出部を嵌合状に受け入れる係止孔を含む請求項１記載の商品パッケージ装置。
【請求項３】
表示帯は、天壁部、底壁部、側壁部、耳部を一体的に接続して形成された薄板状シート材を、各々の部位の接続辺で折り曲げることによって容器に縦ループ状に巻き付けて装着されるように設けられ、
耳部には、該耳部を天壁部に対して折り曲げて係止孔に容器の突出部を受け入れさせた状態で耳部の該突出部からの離脱復帰を規制する復帰規制構造が設けられたことを特徴とする請求項２記載の商品パッケージ装置。
【請求項４】
復帰規制構造は、係止孔の縁の一部が、耳部を曲げ伸ばして天壁部と同一面上にした際に容器の突出部に当たるような凸部を含み、
耳部を折り曲げる際に係止孔の縁の凸部が容器の突出部を乗越えることにより復帰規制することを特徴とする請求項３記載の商品パッケージ装置。
【請求項５】
容器は、上面側と下面側にそれぞれ開口が設けられ、
表示帯の天壁部は、容器の上面側の開口を閉鎖するとともに、開封操作で容器の上面側の開口に対応する一部分を開口する第１の開封部を有し、
表示帯の底壁部は、容器の下面側の開口を閉鎖するとともに、開封操作で容器の下面側の開口に対応する一部分を開口する第２の開封部を有しており、
商品を取り出した後に、天壁部の第１の開封部と底壁部の第２の開封部をともに開口して、容器をメガホンとして使用できる態様へ変更可能とすることを特徴とする請求項１ないし４のいずれかに記載の商品パッケージ装置。
【請求項６】
商品が入れられるカップ状の容器に装着させて商品パッケージ装置を構成するのに用いられる表示帯であり、
容器の上面に配置される天壁部と、容器の下面に配置される底壁部と、容器の周壁に上下方向に沿って配置され容器を挟む対向位置で天壁部と底壁部とを接続する２つの側壁部と、を一体的に有し、容器の周りに側面視で縦ループ状に巻き付けて装着されるとともに、
容器に縦ループ状に巻き付けて装着した際に該容器の上端部との嵌合で縦ループの中央に容器を位置決め状態で係止する位置決め係止部であって、縦ループが形成されない側に対向するように天壁部に一体的に接続された２つの耳部を含む位置決め係止部が設けられたことを特徴とする表示帯。
【請求項７】
カップ状の容器は、上面側と下面側にそれぞれ開口が設けられたものであり、
天壁部は、容器の上面側の開口を閉鎖するとともに、開封操作で容器の上面側の開口に対応する一部分を開口する第１の開封部を有し、
底壁部は、容器の下面側の開口を閉鎖するとともに、開封操作で容器の下面側の開口に対応する一部分を開口する第２の開封部を有しており、
商品を取り出した後に、天壁部の第１の開封部と底壁部の第２の開封部をともに開口して、容器をメガホンとして使用できる態様へ変更可能としたことを特徴とする請求項６記載の表示帯。
【発明の詳細な説明】
【技術分野】
【０００１】
本発明は、菓子類、飲食品等の商品を包装するのに利用される商品パッケージ装置及びそれに用いられる表示帯に関する。
【背景技術】
【０００２】
菓子類や飲食物等の商品を販売する際には、その商品形態に応じて、例えば箱状やカップ状の包装容器、又は包装用の袋等、種々のパッケージで商品を包装している。通常パッケージ表面には、製造・販売会社の商標、商品の内容表示、その他図形、キャラクター、模様、色彩等の装飾、広告が施されている。これらのパッケージの表示は、消費者の目を引き、商品に対する購買意欲を促進するために重要である。従来、容器や袋に表示を施す場合には、それらの外表面に直接印刷して表示する場合が多かった。また、例えば特許文献１に示すように、カップ状容器に表示を施す技術として、カップ状容器の外周面に予め表示が印刷された熱収縮性樹脂フィルムからなるシュリンクラベルを係合する技術が知られている。
【０００３】
一方、特許文献２には、飲料を収容するコップとしての機能と、菓子類や花束を入れる包装材として使用し得る容器としての機能と、拡声器としての機能と、を備えるメガホン兼用容器が開示されている。特許文献２のメガホン兼用容器は、小径部に円筒部を有するラッパ状の胴部本体と、円筒部の外周に着脱自在に装着されるアダプタとを備えており、アダプタは、胴部本体の用途に応じて交換されるキャップ部材とマウス部材とから構成されている。そして、キャップ部材は、円筒部の開口部を閉塞する閉塞部を備え、マウス部材は、円筒部の下部から下方に向かって末広がり状に拡径する傘状部を備えるものであった。
【先行技術文献】
【特許文献】
【０００４】
【特許文献１】特開２００８−１２０３９８号公報
【特許文献２】特開２００２−１２３２５８号公報
【発明の概要】
【発明が解決しようとする課題】
【０００５】
包装用袋や箱状の包装容器へ表示を施す場合にはそれらを平面的な状態として比較的簡単に表示を施すことができる。しかしながら、カップ状容器の外周面は湾曲したり凹凸等が形成されている形状のものが多く、外周面に直接表示を施す場合には、外周面の湾曲や凹凸等を考慮して表示を施す必要があり、特殊で高価な印刷装置が必要であったり、湾曲や凹凸により適正な表示が困難となり表示が制限されて簡単には適正な表示を施しにくい等の問題があった。また、特許文献１のように、カップ状容器にシュリンクラベルを取り付ける場合には、シュリンクラベルを加熱により熱収縮して容器の周方向に係合させるが、上記同様にカップ状容器の外周面の湾曲や凹凸により適正な表示が困難となったり表示が制限され、簡単には適正な表示を施しにくい等の問題があった。また、特許文献２のメガホン兼用容器の場合では、容器機能とメガホン機能を兼用させるために、胴部本体やアダプタ等の各部材の構造が複雑で、部材点数も多く、製造コストが高くつくものであった。
【０００６】
本発明は上記従来の課題に鑑みてなされたものであり、その目的は、カップ状の容器であっても商標や内容表示等の種々の表示を簡単にかつ適正に施せるうえ、表示の自由度を高めうる商品パッケージ装置及びそれに用いられる表示帯を提供することにある。また、他の目的は、容器機能とメガホン機能とを備える構造であっても、パッケージ表面に表示を施した簡単な構成で、低コストで製造できる商品パッケージ装置及びそれに用いられる表示帯を提供することにある。
【課題を解決するための手段】
【０００７】
上記課題を解決するために本発明は、商品Ｐが入れられるカップ状の容器１２と、容器１２の周りに側面視で縦ループ状に巻き付けて装着される表示帯１４であって、容器１２の上面に配置される天壁部２６と、容器１２の下面に配置される底壁部２８と、容器１２の周壁１２１に上下方向に沿って配置され容器１２を挟む対向位置で天壁部２６と底壁部２８とを接続する２つの側壁部３０、３２と、を一体的に有する表示帯１４と、を備え、表示帯１４には、容器１２に縦ループ状に巻き付けて装着した際に該容器１２の上端部との嵌合で縦ループの中央に容器を位置決め状態で係止する位置決め係止部１６であって、表示帯１４の縦ループが形成されない側（１４ｐ）に対向するように天壁部２６に一体的に接続された２つの耳部４２を含む位置決め係止部１６が設けられたことを特徴とする商品パッケージ装置１０から構成される。
【０００８】
また、容器１２の上端部には、同容器１２の周壁１２１の外面よりも外側に突出している突出部２２が設けられ、位置決め係止部１６は、耳部４２に設けられ、容器１２の突出部２２を嵌合状に受け入れる係止孔４６を含むこととしてもよい。突出部２２は、例えば、容器の上端部側の周方向に全周に亘って設けられていてもよいし、上端部の一部分、又は互いに離隔した複数個所に設けられていても良い。
【０００９】
また、表示帯１４は、天壁部２６、底壁部２８、側壁部３０、３２、耳部４２を一体的に接続して形成された薄板状シート材を、各々の部位の接続辺で折り曲げることによって容器１２に縦ループ状に巻き付けて装着されるように設けられ、耳部４２には、該耳部を天壁部２６に対して折り曲げて係止孔４６に容器１２の突出部２２を受け入れさせた状態で耳部４２の該突出部２２からの離脱復帰を規制する復帰規制構造５６が設けられたこととしてもよい。
【００１０】
この際、復帰規制構造５６は、係止孔４６の縁の一部が、耳部４２を曲げ伸ばして天壁部２６と同一面上にした際に容器１２の突出部２２に当たるような凸部５４を含み、耳部４２を折り曲げる際に係止孔４６の縁の凸部５４が容器１２の突出部２２を乗越えることにより復帰規制することとしてもよい。凸部５４は、一個でもよいし複数個形成してもよい。
【００１１】
また、容器１２は、上面側と下面側にそれぞれ開口１８、２０が設けられ、表示帯１４の天壁部２６は、容器１２の上面側の開口１８を閉鎖するとともに、開封操作で容器１２の上面側の開口１８に対応する一部分を開口する第１の開封部５０を有し、表示帯１４の底壁部２８は、容器１２の下面側の開口２０を閉鎖するとともに、開封操作で容器１２の下面側の開口２０に対応する一部分を開口する第２の開封部５２を有しており、商品Ｐを取り出した後に、天壁部２６の第１の開封部５０と底壁部２６の第２の開封部５２をともに開口して、容器１２をメガホンとして使用できる態様へ変更可能とすることとしてもよい。
【００１２】
さらに、本発明は、商品が入れられるカップ状の容器１２に装着させて商品パッケージ装置を構成するのに用いられる表示帯１４であり、容器１２の上面に配置される天壁部２６と、容器１２の下面に配置される底壁部２８と、容器１２の周壁１２１に上下方向に沿って配置され容器１２を挟む対向位置で天壁部２６と底壁部２８とを接続する２つの側壁部と、を一体的に有し、容器１２の周りに側面視で縦ループ状に巻き付けて装着されるとともに、容器１２に縦ループ状に巻き付けて装着した際に該容器１２の上端部との嵌合で縦ループの中央に容器１２を位置決め状態で係止する位置決め係止部１６であって、縦ループが形成されない側（１４ｐ）に対向するように天壁部２６に一体的に接続された２つの耳部４２を含む位置決め係止部１６が設けられたことを特徴とする表示帯１４から構成される。
【００１３】
また、カップ状の容器１２は、上面側と下面側にそれぞれ開口１８、２０が設けられたものであり、天壁部２６は、容器１２の上面側の開口１８を閉鎖するとともに、開封操作で容器の上面側の開口１８に対応する一部分を開口する第１の開封部５０を有し、底壁部２８は、容器１２の下面側の開口２０を閉鎖するとともに、開封操作で容器１２の下面側の開口２０に対応する一部分を開口する第２の開封部５２を有しており、商品を取り出した後に、天壁部２６の第１の開封部５０と底壁部２８の第２の開封部５２をともに開口して、容器１２をメガホンとして使用できる態様へ変更可能としたこととしてもよい。
【発明の効果】
【００１４】
本発明の商品パッケージ装置によれば、商品が入れられるカップ状の容器と、容器の周りに側面視で縦ループ状に巻き付けて装着される表示帯であって、容器の上面に配置される天壁部と、容器の下面に配置される底壁部と、容器の周壁に上下方向に沿って配置され容器を挟む対向位置で天壁部と底壁部とを接続する２つの側壁部と、を一体的に有する表示帯と、を備え、表示帯には、容器に縦ループ状に巻き付けて装着した際に該容器の上端部との嵌合で縦ループの中央に容器を位置決め状態で係止する位置決め係止部であって、表示帯の縦ループが形成されない側に対向するように天壁部に一体的に接続された２つの耳部を含む位置決め係止部が設けられた構成であるから、表示帯の外面に印刷等で簡単に種々の表示を施して容器に装着することができるので、周面に湾曲や凹凸があるカップ状容器であっても適正な表示を手軽に行うことができる。その結果、カップ状容器であっても、バリエーションに富み、意匠感に優れた包装を実現できる。さらに、位置決め係止部により、容器に対して表示帯がずれたり、離脱したりしにくく、良好に装着状態を保持できるので、扱いやすい。特に、耳部により縦ループが形成されない側へのずれ等を確実に防止できる。また、表示帯はカップ状の容器の上端を囲むように嵌合するので、容器上面側に隙間等が生じにくく見た目がよく、意匠感がよい。また、表示帯が容器の閉鎖蓋としても兼用させることもできる。
【００１５】
また、容器の上端部には、同容器の周壁の外面よりも外側に突出している突出部が設けられ、位置決め係止部は、耳部に設けられ、容器の突出部を嵌合状に受け入れる係止孔を含む構成とすることにより、容器の突出部と表示帯の係止孔との係合により確実に位置決め状態で係止できるとともに、構造が単純で、かつ位置決め係止の操作も簡単に行え、使い勝手が良い。
【００１６】
また、表示帯は、天壁部、底壁部、側壁部、耳部を一体的に接続して形成された薄板状シート材を、各々の部位の接続辺で折り曲げることによって容器に縦ループ状に巻き付けて装着されるように設けられ、耳部には、該耳部を天壁部に対して折り曲げて係止孔に容器の突出部を受け入れさせた状態で耳部の該突出部からの離脱復帰を規制する復帰規制構造が設けられた構成とすることにより、耳部と容器との係止状態を確実に保持し、ずれたり外れたりするのを防止できる。
【００１７】
また、復帰規制構造は、係止孔の縁の一部が、耳部を曲げ伸ばして天壁部と同一面上にした際に容器の突出部に当たるような凸部を含み、耳部を折り曲げる際に係止孔の縁の凸部が容器の突出部を乗越えることにより復帰規制する構成とすることにより、例えば、薄板状シート材の切り込みや切欠き等の形状に凹凸を形成するだけで簡単に製作することができ、低コストで製造できる。
【００１８】
また、容器は、上面側と下面側にそれぞれ開口が設けられ、表示帯の天壁部は、容器の上面側の開口を閉鎖するとともに、開封操作で容器の上面側の開口に対応する一部分を開口する第１の開封部を有し、表示帯の底壁部は、容器の下面側の開口を閉鎖するとともに、開封操作で容器の下面側の開口に対応する一部分を開口する第２の開封部を有しており、商品を取り出した後に、天壁部の第１の開封部と底壁部の第２の開封部をともに開口して、容器をメガホンとして使用できる態様へ変更可能とする構成とすることにより、容器をメガホン形態として変更できる構成を簡単な構造で実現できる。さらに、メガホンの形態でも表示帯が容器に装着された状態が保持されるので、予め表示帯に応援する選手やチームの名前やキャラクター等の表示を施しておくことで、応援意欲の向上も期待できる。また、比較的加工が簡単な表示帯に開封部を形成することで、容器機能とメガホン機能を兼用したものを簡単な構造で製造できる。
【００１９】
さらに、本発明の表示帯によれば、商品が入れられるカップ状の容器に装着させて商品パッケージ装置を構成するのに用いられる表示帯であり、容器の上面に配置される天壁部と、容器の下面に配置される底壁部と、容器の周壁に上下方向に沿って配置され容器を挟む対向位置で天壁部と底壁部とを接続する２つの側壁部と、を一体的に有し、容器の周りに側面視で縦ループ状に巻き付けて装着されるとともに、容器に縦ループ状に巻き付けて装着した際に該容器の上端部との嵌合で縦ループの中央に容器を位置決め状態で係止する位置決め係止部であって、縦ループが形成されない側に対向するように天壁部に一体的に接続された２つの耳部を含む位置決め係止部が設けられた構成であるから、表示帯の外面に印刷等で簡単に種々の表示を施して容器に装着することができるので、周面に湾曲や凹凸があるカップ状容器であっても適正な表示を手軽に行うことができる。その結果、カップ状容器であっても、バリエーションに富み、意匠感に優れた包装を実現できる。さらに、位置決め係止部により、容器に対して表示帯がずれたり、離脱したりしにくく、良好に装着状態を保持できるので、扱いやすい。特に、耳部により縦ループが形成されない側へのずれ等を確実に防止できる。また、表示帯はカップ状の容器の上端を囲むように嵌合するので、容器上面側に隙間等が生じにくく見た目がよく、意匠感がよい。また、表示帯が容器の閉鎖蓋としても兼用させることもできる。
【００２０】
また、カップ状の容器は、上面側と下面側にそれぞれ開口が設けられたものであり、天壁部は、容器の上面側の開口を閉鎖するとともに、開封操作で容器の上面側の開口に対応する一部分を開口する第１の開封部を有し、底壁部は、容器の下面側の開口を閉鎖するとともに、開封操作で容器の下面側の開口に対応する一部分を開口する第２の開封部を有しており、商品を取り出した後に、天壁部の第１の開封部と底壁部の第２の開封部をともに開口して、容器をメガホンとして使用できる態様へ変更可能とした構成とすることにより、容器をメガホン形態として変更できる構成を簡単な構造で実現できる。さらに、メガホンの形態でも表示帯が容器に装着された状態が保持されるので、予め表示帯に応援する選手やチームの名前やキャラクター等の表示を施しておくことで、応援意欲の向上も期待できる。また、比較的加工が簡単な表示帯に開封部を形成することで、容器機能とメガホン機能を兼用したものを簡単な構造で製造できる。
【図面の簡単な説明】
【００２１】
【図１】本発明の実施形態に係る商品パッケージ装置の斜視図である。
【図２】図１の商品パッケージ装置の正面図である。
【図３】図１の商品パッケージ装置の側面図である。
【図４】図２の商品パッケージ装置のＡ−Ａ線断面図である。
【図５】図１の商品パッケージ装置の平面図である。
【図６】図１の商品パッケージ装置の底面図である
【図７】表示帯を展開した状態の平面図である。
【図８】展開した表示帯と容器の分解斜視図である。
【図９】（ａ）は表示帯を容器に装着する前の耳部を伸ばした状態での要部断面説明図、（ｂ）は耳部を折り曲げて容器に装着した状態の要部断面説明図、（ｃ）は復帰規制構造の作用説明図である。
【図１０】図１の商品パッケージ装置を開封した状態の底面側から見た斜視図である。
【図１１】図１の商品パッケージ装置をメガホンとして使用する形態の説明である。
【発明を実施するための形態】
【００２２】
以下、添付図面を参照しつつ本発明の商品パッケージ装置及びそれに用いられる表示帯の実施の形態について説明する。本発明の商品パッケージ装置は、例えば、飲食品等の商品を包装するとともに、表面に商品の商標や内容表示、模様、キャラクター等の表示を簡単に施せるパッケージ装置である。図１ないし図１１は、本発明の商品パッケージ装置の一実施形態を示している。図１、図２、図３に示すように、本実施形態の商品パッケージ装置１０は、商品が入れられる容器１２と、容器１２に装着される表示帯１４と、を備え、表示帯１４には容器１２に対する位置決め係止部１６が設けられている。本実施形態では、カップ状の容器１２に表面側に表示が施された表示帯１４が縦ループ状に巻き付けて装着される。
【００２３】
図１、図３に示すように、容器１２は、カップ状に形成されており、カップ状内部空間内に商品Ｐが入れられる。容器１２は、例えば、プラスチック等の合成樹脂からなり、商品全体が完全収容されるような大きさで、かつ縦長で下方に向けて次第に狭くなる略台錘状に形成されている。本実施形態では、容器１２は、例えば、上面側の全体が開口１８され、周壁１２１でカップ状の内部空間を囲むとともに、下面側は中央に円形孔状の開口２０が設けられた底面壁１２２が設けられている。すなわち、容器１２は、カップ状の容器の上面側に開口１８を有すると同時に下面側に開口２０を有する上下両端開口のテーパ筒状体となっている。容器１２は、図８にも示すように、例えば、上端側の外形輪郭は円形状で形成されているが、底面壁１２２の外形輪郭は略矩形形状で形成されており、周壁１２１の横断面形状が上端から下端に向けて円形から矩形形状に変化して設けられている。なお、容器１２は、周知のカップ状形態でよく、例えば、円筒状、多角筒状等その他任意形状で形成されていても良い。図１、図４に示すように、容器１２には、該容器の周壁１２１の外面よりも外側に突出した突出部２２が設けられている。突出部２２は、本実施形態では、例えば、上面側の開口１８の円形状の縁の全周に亘って張出したフランジ２４からなり、フランジ２４の外形輪郭形状も円形形状となっている。容器１２のフランジ２４は、表示帯１４に設けられる位置決め係止部１６との係合要素として機能する。
【００２４】
図１、図３、図４に示すように、表示帯１４は、容器１２の周りに側面視で縦ループ状に巻き付けて装着される帯状体であり、表面に、例えば、パッケージする商品の商標、内容表示、宣伝、広告、又はその他の文字、図形、模様、色彩、キャラクター、キャッチフレーズ等が表示されて表示機能を具現する。表示帯１４は、容器１２に縦ループ状に巻き付け装着された際に、容器１２の上面に配置される天壁部２６と、容器１２の下面に配置される底壁部２８と、容器１２の周壁１２１に上下方向に沿って配置され容器１２を前後に挟む対向位置で天壁部２６と底壁部２８とを接続する２つの側壁部３０、３２と、を含み、それらの各壁面に印刷等により表示が施される。本実施形態では、表示帯１４は、例えば、側面視及び縦断面視で、テーパ状の容器１２の外形形状に対応した略台形枠状の縦ループで設けられ、その略台形枠状の上方側の２つの隅部を容器１２のフランジ２４と係合させるようになっている。
【００２５】
図７、図８に示すように、表示帯１４は、例えば、各壁部（２６、２８、３０、３２）を展開した状態で一体的に長手方向に沿って連設される一方向に長い帯状体からなり、表示が印刷等して施された板紙を所定形状に打ち抜き加工して帯状の薄板状シート材（ブランク材）で設けられている。そして、表示体１４は、その展開状態から、各壁部の接続辺位置で折り曲げるとともに長手方向の両端部を接続手段３４を介して無端状に接続することにより、図１、図４に示すような縦ループが構成される。表示板１４の長手方向の両端の接続手段３４としては、例えば、長手方向の一端に挿入係止片３６を設け、他端に接続補助片３８を設けるとともに、接続補助片３８の近傍にスリット４０を設けて、挿入係止片３６をスリット４０に挿入することで両端を接続する。図７では、展開状態の表示帯１４は、長手方向の一端側（図７上、左側）から他端側（同図７上、右側）に向けて、接続補助片３８、底壁部２８、一方の側壁部３０、天壁部２６、他方の側壁部３２、挿入係止片３６、の順に一体的に接続されている。さらに、展開状態の表示帯１４において、天壁部２６となる部位の帯幅方向の対向辺側、すなわち、天壁部２６の側壁部３０、３２が接続されていない他の辺側には、２つの耳部４２が一体的に接続されている。耳部４２は、表示帯１４が縦ループを構成した際には、該縦ループが形成されない側面側で容器１２の周壁１２１の上部側に沿うように下向きに折り曲げられる。なお、接続手段３４は、例えば、挿入係止片３６をスリット４０に挿入した状態でその周囲に粘着シール材を貼り付けて、より強固に接続するようにしてもよい。
【００２６】
図１、図５に示すように、表示帯１４の天壁部２６は、例えば、容器１２の上面側全体を覆うとともに、同容器１２の上面側の開口１８を閉鎖するように設けられ、容器のフランジ２４上に略当着状に配置されている。天壁部２６は、例えば、容器１２の上面側の開口１８全体を閉鎖しかつ容器１２のフランジ２４の一部が外側に突出する程度の辺長さの略矩形形状に形成されるとともに、各辺の中間部分に該フランジ２４の突出に対応して外側に突出した膨出部２６ａ〜２６ｄが形成されている。なお、この天壁部２６の膨出部２６ａ〜２６ｄは、例えば、図７に示すような表示帯１４の展開状態で、容器のフランジ２４の形状に対応して膨出して形成される第１、第２の切り込み４６ａ、４８ａによって形成される。天壁部２６の接続辺で耳部４２及び側壁部３０、３２を折り曲げた際に、切り込み４６ａ、４８ａ形状に対応した膨出部２６ａ〜２６ｄが天壁部２６に形成され、これと同時に、折り曲げられた耳部４２及び側壁部３０、３２には、切り込み４６ａ、４８ａ形状に対応した孔が穿孔される。この耳部４２及び側壁部３０、３２の孔は後述のように容器１２のフランジ２４を受け入れる係止孔４６、４８となる。表示帯１４の底壁部２８は、例えば、容器１２の下面側全体を覆うとともに、同容器１２の下面側の開口２０を閉鎖するように設けられ、底面壁１２２に略当着状に又は近接して配置されている。底壁部２８は、例えば、容器１２の底面壁１２２より若干大きく、かつ天壁部２６より小さな略矩形状に形成されている。表示帯１４の側壁部３０、３２は、例えば、正面視（背面視）で容器１２を隠すように外側から被覆できる横幅及び縦方向長さの縦長逆台形状で設けられている。側壁部３０、３２は、上辺が天壁部２６の接続辺と同じ長さで、下辺が底壁部２８の接続辺と同じ長さで、さらに縦方向長さが容器１２の周壁１２１の上下長さと略同じ長さで設けられている。
【００２７】
位置決め係止部１６は、表示帯１４を容器１２に縦ループ状に巻き付けて装着した際に該容器１２の上端部との嵌合で縦ループの中央に容器１２を位置決め状態で係止する位置決め係止手段である。図１、図４、図５に示すように、本実施形態では、位置決め係止部１６は、例えば、縦ループが形成されない側（１４ｐ）に対向して配置されるように天壁部２６に接続された２つの耳部４２を含み、さらに、耳部４２に形成され容器１２のフランジ２４を嵌合状に受け入れる第１の係止孔４６と、側壁部３０、３２に形成され容器１２のフランジ２４を嵌合状に受け入れる第２の係止孔４８と、を含む。
【００２８】
耳部４２は、例えば、縦ループに構成される表示帯１４において、側壁部３０、３２が形成されていない開放された左右側面側１４ｐの上部位置に、縦に立てた板面を互いに対向した状態で配置される。耳部４２は、例えば、その対向間隙間に容器１２の上端部を嵌合状に受け入れて容器１２に対して位置決めした状態で表示帯１４を係止させる。そして、耳部４２は、容器１２が表示帯の縦ループ開放側１４ｐから離脱するのを防止する。耳部４２は、例えば、上下方向への長さが短くかつ天壁部２６の接続辺の長さに対応した横長台形板状に形成されており、それぞれ天壁部２６との接続辺から下方に逆Ｌ字状に折り曲げられて垂下し、容器１２の周壁１２１の上部側に沿って配置される。よって、２つの耳部４２と天壁部２６とは、表示帯１４の縦ループに交差した、下方開口の略コ字枠状に構成される。耳部４２は、天壁部２６に接続される２つの側壁部３０、３２とともに、容器１２の周壁１２１の上部側を四方から囲むようになっており、容器の上端部を収容状に嵌合する。なお、例えば、耳部４２のフリーの下端側を、粘着シール材等で容器の周壁１２１に貼り付けて固定してもよく、この際、確実に装着状態を保持できると同時に意匠感を向上できる。
【００２９】
第１の係止孔４６は、図３、図９、図１０に示すように、例えば、容器１２のフランジ２４を嵌合状に受け入れるように耳部４２を横方向に貫通した貫通孔からなり、本実施形態では、該耳部４２の上端側、すなわち天壁部２６との接続辺側、に横長スリット状に形成されている。第１の係止孔４６は、例えば、図７のように表示帯１４の展開状態で天壁部２６と耳部４２との接続辺近傍に形成した第１の切り込み４６ａによって構成されており、耳部４２を折り曲げた際に該耳部に貫通孔となって、容器１２のフランジ２４を受け入れるようになっている。図に示すように、第１の係止孔４６の輪郭縁の一部には、係止孔の内側に向けて突出する凸部５４が形成されている。すなわち、第１の切り込み４６ａは、容器１２のフランジ２４の円形輪郭に沿った円弧状の切り込み線の一部（中間位置）に該フランジ２４と交差するような凹凸部が形成されている。図９（ａ）に示すように、耳部４２を容器１２のフランジ２４に係合させる前において、耳部４２と天壁部２６とが同一面上に展開している状態では、凸部５４部分が容器１２のフランジ２４に当たるが、ある程度力を入れて強制的に耳部４２を下方に折り曲げると耳部４２の紙素材自体の変形、復元により、凸部５４が容器１２のフランジ２４を乗越えて、図９（ｂ）に示すように、該係止孔４６に容器１２のフランジ２４が挿通される。この状態で、図９（ｃ）に示すように、耳部４２を逆方向に曲げ伸ばして天壁部２６と同一面上に戻ろうとする際には、凸部５４が容器のフランジ２４に当たることとなり、該耳部４２が容器のフランジ２４に対して離脱して復帰するのを規制する。すなわち、耳部４２には、該耳部４２を天壁部２６に対して折り曲げて係止孔４６に容器のフランジ２４を受け入れさせた状態で、耳部４２が容器のフランジ２４に対する離脱復帰を規制する復帰規制構造５６が設けられており、本実施形態では、復帰規制構造５６は、第１の係止孔４６の縁に形成した凸部５４を含む構成となっている。なお、凸部５４による復帰を規制する状態から、さらに力を入れて耳部４２を上方向に強制的に曲げると、凸部５４が再び容器のフランジ２４を乗越えて離脱させることができる。
【００３０】
第２の係止孔４８は、例えば、容器１２のフランジ２４を嵌合状に受け入れるように側壁部３０、３２を貫通した貫通孔からなり、該側壁部の上端側、すなわち天壁部２６との接続辺側、に横長スリット状に形成されている。第２の係止孔４８は、例えば、図７のような表示帯１４の展開状態で容器１２のフランジ２４の外形輪郭に対応して形成される円弧状の第２の切り込み４８ａによって形成されており、展開状態から側壁部３０、３２を折り曲げた際に孔貫通して、容器１２のフランジ２４を受け入れて位置決め状態で係止する。
【００３１】
このように本実施形態では、位置決め係止部１６は、耳部４２及び係止孔４６、４８、を備えているので、縦ループで構成される表示帯１４において容器１２の位置決め係止機能を具体的に実現できる。同時に、表示帯１４を板紙等の薄板状シート材で製作した場合であっても、該表示帯１４の天壁部が素材の性質で撓んで天壁部２６と容器１２のフランジ２４との間に隙間が空くのを防止することができる。その結果、表示帯１４が容器１２に対してずれたり、外れたりすることがなく、定められた位置に装着状態を保持できるうえ、表示帯１４が容器１２の上面側及び下面側の開口１８、２０を直接に閉鎖する蓋として兼用できる構成を実用できるうえ、意匠感もよい。
【００３２】
図１、図５に示すように、表示帯１４において、容器１２の上面側の開口１８を閉鎖している天壁部２６には、開封操作でその壁部分の一部を開口するための第１の開封部５０が設けられている。この第１の開封部５０を開口することにより、容器１２の上面側の開口１８を開放して、表示帯１２の装着状態で容器１２から商品を取り出すことができる。第１の開封部５０は、例えば、天壁部２６自体に設けられたミシン目５１を有し、ミシン目５１に沿って壁部分の一部２６Ｒを切り取ることにより開封される。さらに、図１、図６に示すように、容器１２の下面側の開口２０を閉鎖している底壁部２８には、開封操作でその壁部分の一部を開口する第２の開封部５２が設けられている。第２の開封部５２を開口することにより容器１２の下面側の開口２０を開放できるようになっている。第２の開封部５２は、例えば、容器１２の下面側の開口２０位置に対応して底壁部２８自体に設けられたミシン目５３を有し、ミシン目５３に沿って壁部分の一部２８Ｒを切り取ることにより開封される。図１０、図１１に示すように、商品パッケージ装置１０から商品Ｐを取り出した後には、天壁部２６の第１の開封部５０と底壁部２６の第２の開封部５２をともに開口して、すなわち、容器１２の上面側及び下面側の開口１８、２０をともに開放することで、容器１２をメガホンとして使用できる態様へ変更することができる。メガホン形態に変更した状態においても、表示帯１４は容器１２に縦ループ状に装着された状態であるとともに、位置決め係止部１６により装着状態が良好に保持される。よって、例えば、予め表示帯１４の表示に、応援するスポーツ選手やスポーツチームの名前やキャラクター等が施されていると、メガホンとして使用する際に、それらの表示が保持されているので、応援意欲が向上できる。また、加工を施しにくい容器１２自体に開封部を形成するものに比べて、比較的加工が簡単な表示帯１４にミシン目等を形成するだけでよいので、容器機能とメガホン機能を兼用したものを簡単な構造で製造できる。
【００３３】
なお、容器１２や表示帯１４、位置決め係止部１６の構成は上記したものに限らない。例えば、容器１２は、上面側のみを開口したものや、開口が蓋部材で閉鎖されたものでも良い。蓋部材を備えた構成の場合には、該蓋部材に表示帯の係止孔に係合する突出部を設けてもよい。また、容器の周壁自体に他の表示をしていてもよく、容器の表示と表示帯の表示とで異なった表示により宣伝広告することとしてもよい。また、表示帯１４の側壁部３０，３２に第２の係止孔を設けず、耳部４２の係止孔だけで容器の突出部２２と係合する構成としてもよい。
【００３４】
次に図を参照しつつ本実施形態に係る商品パッケージ装置の作用について説明する。予め、表示帯１４の表面に、例えば、商標や内容表示、及びスポーツ選手やチームの名前、キャラクター等を印刷して表示を施して製作しておき、菓子等の商品Ｐをカップ状の容器１２内に入れて、表示帯１４を縦ループ状に巻き付けて装着する。この装着状態では、表示帯１４の位置決め係止部１６により容器１２との縦ループ状の装着状態を良好に保持できるので、商品パッケージ装置１０を運搬車等で輸送したり、人が手で持ったりする際に、表示帯１４が容器１２に対してずれたり、外れたりしにくく扱いやすい。一方、購入者は、手で天壁部２６の第１の開封部５０のミシン目５１に沿って開口することで、容器１２の中から商品を取り出し食べることができる。また、この開封操作の際も、位置決め係止部１６により容器１２に対して表示帯１４がずれにくいので操作性が良い。商品を食べ終えた後には、図１０に示すように、表示帯１４の底壁部２８に設けられた第２の開封部５２を開口して、容器１２の上下両面をともに開放する。そして、図１１に示すように、例えば、人Ｍは、容器１２の下面側の開口２０（底壁部側及び第２の開封部側）を口に当てて、メガホンとして使用することができ、野球やサッカー等のスポーツ観戦の際に使用できる。
【００３５】
本発明の商品パッケージ装置及びそれに用いられる表示帯は、上記した実施態様の構成のみに限定されるものではなく、特許請求の範囲に記載した発明の本質を逸脱しない限りにおいて任意に改変してもよい。
【符号の説明】
【００３６】
１０    商品パッケージ装置
１２    容器
１４    表示帯
１６    位置決め係止部
１８    上面側の開口
２０    下面側の開口
２２    突出部
２６    天壁部
２８    底壁部
３０、３２    側壁部
４２    耳部
４６    第１の係止孔
５０    第１の開封部
５２    第２の開封部
５４    凸部
５６    復帰規制構造
【図１】
2012240711.tif 000003
【図２】
2012240711.tif 000004
【図３】
2012240711.tif 000005
【図４】
2012240711.tif 000006
【図５】
2012240711.tif 000007
【図６】
2012240711.tif 000008
【図７】
2012240711.tif 000009
【図８】
2012240711.tif 000010
【図９】
2012240711.tif 000011
【図１０】
2012240711.tif 000012
【図１１】
2012240711.tif 000013